(57)【要約】  本発明は、複数のボールポケット（１２、２２）を有し、各ボールポケット（１２、２２）が１つのボールを収容するように機能し、各ボールポケット（１２、２２）は、ボールベアリング保持器（１０、２０）の軸方向に幅（Ｂ）と、ボールベアリング保持器（１０、２０）の周方向に長さを有し、少なくともボールベアリング保持器（１０）の外周（ＵＡ）上で幅（Ｂ）がボール（３０）の直径よりわずかに大きくなるように設定され、長さがボールポケット（１２、２２）の幅（Ｂ）より大きくなるように設定され、ボールベアリング保持器（１０）の外周（ＵＡ）上のボールポケット（１２、２２）の長さ（ＬＡ）がボールベアリング保持器（１０）の内周（Ｕｌ）上のボールポケット（１２、２２）の長さ（Ｌｌ）より大きく設定されていることを特徴とするボールベアリング保持器に関する。【選択図】図４
2017517682.tif 000002
【特許請求の範囲】
【請求項１】
複数のボールポケット（１２、２２）を有し、各ボールポケット（１２、２２）が１つのボール（３０）を収容するように機能し、
各ボールポケット（１２、２２）は、ボールベアリング保持器（１０、２０）の軸方向に幅（Ｂ）と、ボールベアリング保持器（１０、２０）の周方向に長さを有し、少なくともボールベアリング保持器（１０）の外周（ＵＡ）上で幅（Ｂ）がボール（３０）の直径よりわずかに大きくなるように設定され、長さがボールポケット（１２、２２）の幅（Ｂ）より大きくなるように設定され、
ボールベアリング保持器（１０）の外周（ＵＡ）上のボールポケット（１２、２２）の長さ（ＬＡ）がボールベアリング保持器（１０、２０）の内周（Ｕｌ）上のボールポケット（１２、２２）の長さ（Ｌｌ）より大きく設定されていることを特徴とするボールベアリング保持器。
【請求項２】
ボールポケット（１２、２２）の中心軸方向にボールベアリング保持器（１０、２０）の半径と平行であるボールベアリング保持器（１０、２０）の断面（Ａ−Ａ、Ｂ−Ｂ）において、ボールポケット（１２、２２）の長さを画定するボールポケット（１２、２２）の壁（１４）が略直線状に延びていることを特徴とする請求項１に記載のボールベアリング保持器。
【請求項３】
壁（１４）が、少なくともボール（３０）との接点（ＰＫ）上で、ボールベアリング保持器（１０、２０）の中心（Ｍ）に対して略放射状に延びていることを特徴とする請求項２に記載のボールベアリング保持器。
【請求項４】
ボールポケット（１２、２２）が、ボールベアリング保持器（１０、２０）の中心（Ｍ）に向かって側方から見て、ボールベアリング保持器（１０、２０）の内周（Ｕｌ）上で円形または長穴形状であることを特徴とする請求項１〜３のいずれかに記載のボールベアリング保持器。
【請求項５】
ボールベアリング保持器（１０、２０）は、ポリエーテルエーテルケトン（ＰＥＥＫ）、ポリエーテルケトン（ＰＥＫ）、ポリフェニレンサルファイド（ＰＰＳ）、ポリアミドイミド（ＰＡＩ）、ポリイミド（ＰＩ）などの高性能プラスチック、または綿ファブリック強化フェノール樹脂で作られていることを特徴とする請求項１〜４のいずれかに記載のボールベアリング保持器。
【請求項６】
内輪（５０）、外輪（７０）、複数のボール（３０）と、ボールベアリング保持器（１０、２０）を備えたボールベアリングであって、
ボールベアリング保持器（１０、２０）はボール（３０）を収容する複数のボールポケット（１２、２２）を有し、
各ボールポケット（１２、２２）は、ボールベアリング保持器（１０、２０）の軸方向に幅（Ｂ）と、ボールベアリング保持器（１０、２０）の周方向に長さを有し、少なくともボールベアリング保持器（１０）の外周（ＵＡ）上で幅（Ｂ）がボール（３０）の直径よりわずかに大きくなるように設定され、長さがボールポケット（１２、２２）の幅（Ｂ）より大きくなるように設定され、
ボールベアリング保持器（１０、２０）の外周（ＵＡ）上のボールポケット（１２、２２）の長さ（ＬＡ）がボールベアリング保持器（１０、２０）の内周（Ｕｌ）上のボールポケット（１２、２２）の長さ（Ｌｌ）より大きく設定されていることを特徴とするボールベアリング。
【請求項７】
請求項１〜６のいずれかに記載のボールベアリング保持器、またはボールベアリングであって、ボールベアリング保持器（１０、２０）が内輪誘導保持器として形成されているか、または外輪誘導保持器として形成されているか、および／またはボールベアリング保持器１０、２０）が大規模保持器（１０）またはスナップ型保持器（２０）として形成されていることを特徴とするボールベアリング保持器、またはボールベアリング。
【請求項８】
ボールベアリング保持器（１０、２０）を形成する方法であって、
棒状または筒状の円形または環状の断面を有する半成品を提供する工程と、
円形断面を有する半成品の場合、内側穴部を形成する工程と、
切削、穿孔又はフライス工具を使用してこれら切削、穿孔又はフライス工具を半成品の外周から半成品の断面中央に向かって移動させることによってボールポケット（１２、２２）を形成する工程と、
ボールポケット（１２、２２）を形成する工程において、長孔形状を有するボールポケット（１２、２２）を形成するように半成品をその断面中心周りに回転させる工程、とを含む方法。
【請求項９】
切削、穿孔、フライス工具（９０）を半成品の外周（ＵＡ）から半成品の断面中央に向かって移動させながら、第１工程（１、２）で半成品を時計方向に回転させ、
その後、切削、穿孔、フライス工具を半成品から引き抜き、それから切削、穿孔、フライス工具を半成品の外周からその断面中央に向かって移動させながら、半成品を第２工程で反時計まわりに回転させることを特徴とする請求項８に記載の方法。
【請求項１０】
請求項８または９に記載の方法であって、半成品から端部を分割または切断することによって分離し、および／または半成品から端部を分離する前後にスライド加工及び／またはバリ取りの工程を更に含むことを特徴とする方法。
【発明の詳細な説明】
【技術分野】
【０００１】
本発明は、ボールベアリング保持器、ボールベアリング、及びボールベアリング保持器の製造又は形成方法に関する。
【背景技術】
【０００２】
ボールベアリングの個々のボールを配置するためのボールベアリング保持器は当該分野で周知であり、ボールベアリングの周方向に等間隔の位置にボールを保持する機能を有する。このタイプのボールベアリング保持器において、いわゆるボールポケット間隙はボールベアリング保持器の挙動に関して非常に重要である。このボールポケット間隙はボールポケット内の軸方向及び径方向におけるボールの可動性として定義される。
【０００３】
ハウジング内のベアリングの位置ずれにより、または軸受面が傾斜する場合は、設置されたボール内の一群のボールは異なる速度で移動する。その結果、先頭または末尾のボールはボールポケット位置から離れようとし、これによりボールベアリング保持器に対し周方向に力がかかり、過度の摩耗が生じてしまう。
【０００４】
ＤＥ １０ ２０１０ ０４７ ９６２ Ａ１は、ボールポケットが細長い孔（長孔）の形態であるボールベアリング保持器を提案している。ここでは、最長寸法のボールポケットが、ボールの直径を約２０％〜約５５％超えて、ボールベアリング保持器の周方向に設けられている。
【０００５】
ボールベアリングは、周方向の長孔として形成されているので、ボールベアリングの静的および動的定格荷重が低減されるように、少数のボールが収容されるようになっている。更に、保持器を駆動するためにボールと保持器の接触面に印加する力は保持器の周方向に印加されないので、この力は保持器の径方向に力成分を有し、保持器をその中心から変位させてしまうため好ましくない。その結果、ボールベアリング保持器の摩耗が急速に進行する。
【０００６】
従って、本発明の目的は、改善された摩耗挙動と増大された荷重許容を有するボールベアリン保持器を提供することである。
【０００７】
この目的は、独立クレームの構成要素によって解決される。尚、発明の効果を従属項に記載する。
【０００８】
第１の態様によると、複数のボールポケットを有し、各ボールポケットが１つのボールを収容するように機能し、
各ボールポケットは、ボールが軸方向に間隙を全く有さないかまたはほとんど有さないようにボールの直径と等しいかまたは直径よりわずかに大きいボールベアリング保持器の軸方向の幅と、ボールベアリング保持器の周方向の長さを有し、
ボールポケットの長さは、ボールベアリング保持器に対して可動となり、かつボールベアリング保持器の周方向に大きな間隙を有するように、ボールベアリング保持器の少なくとも外周上のボールポケットの幅より大きく設定され、
ボールベアリング保持器の外周上のボールポケットの長さは、ボールベアリング保持器の内周上のボールポケットの長さより大きく設定されるように構成されたボールベアリング保持器を提供する。
【０００９】
ここで、ボールベアリング保持器の外周上のボールポケットの「長さ」とは、ボールベアリング保持器の外周によって定義される円弧の長さかこの円弧の弧の長さである。内周上のボールポケットの長さに対しても同じことが言えると思われる。従って、長さは、ボールポケットを画定する周方向（内周または外周）の２点を結ぶ線（直線）として定義されるか、ボールベアリング保持器の外周または内周いずれかの円弧の長さとして定義される。
【００１０】
ボールベアリング保持器の内周上のボールポケットの長さを外周上のボールポケットの長さに対して小さく設定すると、ボールベアリング保持器に多数のボールを収容できるように多数のボールポケットを備えることができる。従って、ボールベアリングの許容荷重または定格荷重を増大させることができる。
【００１１】
内周上のボールポケットの長さを小さく設定するため、一定の長さを有しボールがボールポケットと接触するボールポケット壁はより適切な方向性を有している。ボールがボールベアリング保持器を周方向に駆動するように、この壁はボールベアリング保持器の中心に向かって延びている。従って、周方向とは異なる方向に作用する望ましくない力成分は生成されないか、またはほんのわずかしか生成されない。よって、ボールベアリング保持器をその中心から変位させる力成分もほんのわずかしかないか、または全く存在しない。
【００１２】
壁上のボールの接触点が摩耗する場合であっても、ボールベアリング保持器は、ボールベアリング保持器が対称の中心からずれないように、ボールによって略接線方向か周方向に前方移動させられる。従って、ボールベアリング保持器の摩耗状態は改善する。
【００１３】
ボールポケットの中心軸方向にボールベアリング保持器の半径と平行であるボールベアリング保持器の断面において、ボールポケットの長さを画定する壁が略直線状に延びている。このように、ボールがボールベアリング保持器に印加する駆動力は、実質的にボールベアリング保持器の周方向に作用する。
【００１４】
壁は、壁にかかる駆動力がボールベアリング保持器の周方向に実質作用するように、少なくともボールとの接触点においてボールベアリング保持器の中心へ向かって略半径方向（放射状）に延びていると更に好ましい。
【００１５】
側面図でボールベアリング保持器の中心方向を見ると、ボールポケットはボールベアリング保持器の内周上で円形であることが好ましい。このように、ボールベアリング保持器の長さは、最大数のボールをボールベアリング保持器内に収容できるように、内周上で最小に設定される。従って、ボールベアリングの定格荷重を増大させることができる。更に、ボールポケットは、円形の形状を有する穿孔工具、切削工具、またはフライス工具を使用するだけで製造することができる。
【００１６】
ボールベアリング保持器の略半径方向に延びる、ボールポケットの長さを画定する壁により、周方向に長いボールポケットの利点を採用することができると同時に、ボールベアリングの許容荷重を増大させるように多数のボールを収容することができる。言い換えると、ボールベアリング保持器の外周上のボールポケットの長さが、ボールベアリング保持器の内周上のボールポケットの長さより大きく設定されている。一方、ボールポケットの周方向における長さがボールベアリング保持器の内周上及び外周上の長さと同じである長孔形状のボールポケットにおいて、半径方向に延びてボールポケットの長さを画定する壁を有するボールベアリング保持器は、より多数のボールを収容することができる。
【００１７】
更なる態様によれば、内輪、外輪、複数のボールと、ボールベアリング保持器を備えたボールベアリングであって、
ボールベアリング保持器はボールを収容する複数のボールポケットを有し、
ボールポケットはそれぞれボールベアリング保持器の軸方向に幅を有し、ボールベアリング保持器の周方向に長さを有し、この幅はボールが軸方向に小さな間隙を有するようにボールの直径より少し大きく設定され、
ボールポケットの長さは、ボールベアリング保持器に対して可動となるようにボールがボールベアリング保持器の周方向に大きな間隙を有するように、ボールベアリング保持器の少なくとも外周上のボールポケットの幅より大きく設定され、
ボールベアリング保持器の外周上のボールポケットの長さは、ボールベアリング保持器の内周上のボールポケットの長さより大きく設定されるように構成されたボールベアリング保持器を提供する。
【００１８】
ボールベアリング保持器は内輪誘導保持器または外輪誘導保持器として形成してもよい。更に、ボールベアリング保持器は大規模保持器として、またはスナップ型保持器として形成してもよい。
【００１９】
好ましくは、ボールベアリング保持器は、ポリエーテルエーテルケトン（ＰＥＥＫ）、ポリエーテルケトン（ＰＥＫ）、ポリフェニレンサルファイド（ＰＰＳ）、ポリアミドイミド（ＰＡＩ）、ポリイミド（ＰＩ）などの高性能プラスチックまたはポリマーで作られている。更に、綿ファブリック強化フェノール樹脂を用いることができる。
【００２０】
更なる態様によれば、ボールベアリング保持器を形成する方法であって、
棒状または筒状の円形または環状の断面を有する半成品を提供する工程と、
円形断面を有する半成品の場合、内側穴部を形成する工程と、
切削、穿孔又はフライス工具を使用してこれら切削、穿孔又はフライス工具を半成品の外周から半成品の断面中央に向かって移動させることによってボールポケットを形成する工程と、
ボールポケットを形成する工程において、長孔形状を有するボールポケットを形成するように半成品をその断面中心周りに回転させる工程、とを含む方法を提供する。
【００２１】
上記のように、ボールポケットの長さが半成品の外周上において内周上より長い長孔形状を有するボールポケットを得る。従って、最初に筒状のボールポケットのみをドリルを使用して形成する場合に必要となるプロセスを別途設けることを省略できる。筒状ボールポケットの穿孔やボールポケットの周方向長孔化をこのように単一のプロセスで行うことができる。
【００２２】
長孔形状を有するボールポケットは穿孔具を半成品の半径方向に貫通させながら半成品をその周方向に回転させることによって形成されるため、長孔は、内周上より半成品の円周上の長さの方がより長い長孔が得られる。筒状半成品の内壁貫通の際、半成品の回転が停止すると、内周上で円孔が得られる。
【００２３】
好ましくは、切削、穿孔、フライス工具を半成品の外周から半成品の断面中央に向かって移動させながら、第１工程で半成品を時計方向に回転させる。
その後、切削、穿孔、フライス工具を半成品から引き抜き、それから切削、穿孔、フライス工具を半成品の外周からその断面中央に向かって移動させながら、半成品を第２工程で反時計まわりに回転させる。
【００２４】
上記のように、２つの等しい孔の長孔化が周方向においてなされる。すなわち、長孔は長孔の周方向中央に対して対称形状である。
【００２５】
好ましくは、この方法は半成品から端部を分割または切断することによって分離する工程を含む。
【００２６】
より好ましくは、この方法は更に、半成品から端部を分離する前後にスライド加工及び／またはバリ取り工程を含む。
【００２７】
以下、本発明を２つの実施形態によってさらに詳細に、添付の図面を参照しながら説明する。
【図面の簡単な説明】
【００２８】
【図１】第１の実施形態に係るボールポケットの領域内の内輪誘導ボールベアリング保持器のＡ−Ａ断面の詳細を模式的に示す図である。
【図２】図１の内輪誘導保持器の斜視図である。
【図３】図１のボールベアリング保持器の断面図である。
【図４】断面Ａ−Ａの位置における図１のボールベアリング保持器の側面図である。
【図５】内輪誘導スナップ型保持器を有する第１の実施形態の変形例を示す。
【図６】図５のスナップ型保持器の断面を示す。
【図７】図５のスナップ型保持器の側面図である。
【図８】図２の内輪誘導ボールベアリング保持器を含むアンギュラボールベアリングの断面を示す。
【図９】図２の内輪誘導ボールベアリングを含むアンギュラボールベアリングの更なる実施例の断面を示す。
【図１０】図５の内輪誘導スナップ型保持器を含む溝ボールベアリングの断面図である。
【図１１】第２の実施形態に係るボールポケットの領域内の内輪誘導ボールベアリング保持器のＢ−Ｂ断面の詳細を模式的に示す図である。
【図１２】図１１の外輪誘導保持器の斜視図である。
【図１３】図１１のボールベアリング保持器の断面図である。
【図１４】断面Ｂ−Ｂの位置における図１１のボールベアリング保持器の側面図である。
【図１５】外輪誘導スナップ型保持器を有する第２の実施形態の変形例を示す。
【図１６】図１５のスナップ型保持器の断面を示す。
【図１７】図１５のスナップ型保持器の側面図である。
【図１８】図１２の外輪誘導ボールベアリング保持器を含むアンギュラボールベアリングの断面を示す。
【図１９】図１２の外輪誘導ボールベアリングを含むアンギュラボールベアリングの更なる実施例の断面を示す。
【図２０】図１５の外輪誘導スナップ型保持器を含む溝ボールベアリングの断面図である。
【図２１】ボールポケットを形成するためのボールベアリング保持器の製造方法を示す。
【００２９】
図１〜３に示すように、第１の実施形態に係るボールベアリング保持器１０は、それぞれボール３０を誘導する複数のボールポケット１２を含む。ここで、軸方向におけるボールポケット１２の寸法または幅Ｂは、間隙ができるようにボール３０の直径より少し大きく設定されている。一方、周方向におけるボールポケット１２の寸法または長さは、少なくとも外周ＵＡ上でボール３０の直径よりかなり大きく設定されている。すなわち、特に図１の断面Ａ−Ａに示すようにボール３０の直径より約２０％〜５０％大きく設定されている。
【００３０】
しかしながら、ボールベアリング１０の内周Ｕｌ上のボールポケット１２の長さＬｌは、特に図４に示すように、ボールベアリング１０の外周ＵＡ上のボールベアリング保持器１２の長さＬＡより小さく設定されている。この結果、ボールポケット１２は少なくとも外周ＵＡ上で長孔形状に形成されることになる。逆に内周Ｕｌ上では、ボールベアリング保持器１０の内周上のボールポケット１２の長さＬｌがボールポケット１２の幅Ｂと軸方向に実質的に等しくなるように、ボールポケット１２は円形状を有してもよい。
【００３１】
上記に記載したが、「長さ」は、ボールポケット１２を周方向（外周ＵＡ上または内周Ｕｌ上のいずれか）に画定する２点間を結ぶ線（直線）として定義されるか、またはボールベアリング保持器１０の外周の円弧の長さ、もしくは、内周の円弧の長さとして定義される。
【００３２】
しかしながら、ボールベアリング保持器１０の内周Ｕｌ上の長さＬｌも、内周Ｕｌ上で長孔形状が得られるように幅Ｂより大きく設定されてもよい。この場合であっても、以下の条件が満たされる。
ＬＡ ＞ Ｌｌ
【００３３】
内周Ｕｌ上の長孔形状として、外周ＵＡ上の長孔長さより小さい長孔長さＬｌを有する。
【００３４】
ボールポケット１２の中心軸方向にボールベアリング保持器１０の半径と平行であるボールベアリング保持器の断面Ａ−Ａ（図１参照）において、ボールポケット１２の長さを周方向に画定するボールポケット１２の壁１４が、上記条件を満たすように、ボールベアリング保持器１０の中心Ｍに向かって収束的に延びている。好ましくは、ボールポケット１２の壁１４はボールベアリング１０の略半径方向に、その中心Ｍに向かって延びている。
【００３５】
上記条件が満たされることにより、ＬＡ ＝ Ｌｌを満たし、長孔形状を有するボールベアリング保持器と比較して、より多くのボール３０を収容できる。これにより、ボールベアリングの定格荷重が改善される。
【００３６】
従って、断面Ａ−Ａにおいて、半径方向のボールポケット１２の幅Ｂは、ボールベアリング保持器１０の中心Ｍに向かって実質的に一定であるのに対し、ボールポケット１２は、ボールベアリング保持器１０の中心Ｍに向かって半径方向にテーパ形状を有している。
【００３７】
更に、ボールポケット１２の形状として、少なくともボール３０との接点ＰＫにおいて壁がボールベアリング保持器１０の中心Ｍに向かって半径方向に延びることが好ましい。従って、ボールベアリング保持器１０を駆動する力Ｆが、ボールベアリング保持器１０をその中心Ｍから変位させる力成分が発生しないように、ボールポケット１２の長手方向に、またはボールベアリング保持器１０の周方向に壁１４上でボール３０によって誘発される。
【００３８】
言い換えると、ボール３０は、ボールベアリング保持器１０の略周方向に作用する力Ｆをボールベアリング保持器１０に加えてボールベアリング保持器１０を駆動する。よって、半径方向または他の方向の干渉力が誘発されないため、ボールベアリング保持器１０にかかる回転力が最小化される。全体の摩擦を最小限にすることも可能である。これにより摩耗挙動がプラスに影響を受け、ボールベアリング保持器１０の耐久性、及びボールベアリング保持器を含むボールベアリングの耐久性が拡大される。
【００３９】
たとえボールポケット１２が、接触点ＰＫにおいて摩耗による窪みが形成されるようにボール３０と摩擦を起こすことにより接触点ＰＫで摩耗したり擦り減ったりしたとしても、ボールベアリング保持器１０の半径方向に作用するいかなる力成分も存在せず、よってボールポケット１２が摩耗や擦り減りに影響を受けたとしても過度な摩耗が起こらない。従って、ボールベアリング１０の耐久性、よってボールベアリング全体の耐久性が著しく拡大される。
【００４０】
ボールベアリング保持器１０の内周Ｕｌ上のボールポケット１２の長さＬｌがボールベアリング保持器１０の外周ＵＡ上のボールポケット１２の長さＬＡより小さいため、最大数のボール３０がボールベアリング保持器１０の周方向に収容され、軸受の許容荷重を増すことができる。
【００４１】
図５〜７は、第一の実施形態の変形例を示す。大規模保持器として形成される図１〜４のボールベアリング保持器１０と比べて、図５〜７に示すスナップ型保持器２０は各ボールポケット２２に開口部２６を備える。ここで、開口部２６はそれぞれスナップ型保持器２０の軸方向一端側２３に設けられる一方、スナップ型保持器２０の他端側２５は閉鎖されるように形成されている。
【００４２】
これら開口部２６は、ボールベアリングの複数のボール３０からなるボールセットの所定の位置にスナップ型保持器２０をスナップするように機能する。このような変形例は、ボールベアリングのスナップ型保持器２０が交換可能であるとともに、大規模構造のボールベアリング保持器１０より容易に搭載することができるという利点を有する。開口部のほか、ボールポケットは第１の実施形態に係るボールポケット１２と同じ形状を有する。
【００４３】
図８、９は、内輪５０と外輪７０を有する第１の実施形態に係るボールベアリングの全体を示す。図１〜４のボールベアリング保持器１０は、図８と９に示すように、内輪誘導ボールベアリング保持器１０として形成されている。ここで、ボールベアリング保持器１０の内周Ｕｌは内輪５０の外周上をスライドする。
【００４４】
図１０は、内輪誘導保持器として同様に形成されたスナップ型保持器２０を含む第１の実施形態の変形例のボールベアリングの全体を示す。ボールベアリング１０の残りの構成要素は図８、９のそれらと等しいため、更なる説明は省く。
【００４５】
図１１〜１４は、外輪誘導ボールベアリング保持器１０を含む第２の実施形態を示す。図１８、１９に示すように、この外輪誘導ボールベアリング保持器１０の外周ＵＡが外輪７０の内周上を誘導される。図１１〜１４に示す第２の実施形態に係る他のすべての構成要素は、図１〜４に示す大規模保持器を含む第１の実施形態に係る構成要素に対応するものである。
【００４６】
図１５〜１７は、図５〜７のスナップ型保持器２０に対応するスナップ型保持器２０を含む第２の実施形態の変形例を示す。しかしながら、図１５〜１７のスナップ型保持器２０は、図２０から分かるように、外輪誘導スナップ型保持器２０として形成されている。ここで、スナップ型保持器２０の外周ＵＡはボールベアリングの外輪７０の内周上をスライドする。
【００４７】
図２１は、矢印Ｖが示すようにその回転軸に沿って垂直方向に可動である穿孔、切削、フライス工具９０を使用してボールポケット１２、２２を形成する処理工程（１）〜（６）を示す。
【００４８】
筒状または棒状に形成された半成品は、ボールポケット１２、２２を形成するために設けられている。好ましくは、まず穿孔によって内側穴部が設けられた棒状出発原料を使用する。その後、外周は所望の外径を得ることになる。もしくは、内側穴部はフライス加工で得ることもできる。
【００４９】
ボールポケット１２と２２をそれぞれ形成するため、穿孔、切削、フライス工具９０を半成品の外周ＵＡに、切削、穿孔モードにして挿入し、ボールポケット１２または２２を製造する。
【００５０】
しかしながら、ボールポケット１２と２２は、穿孔または切削工具９０を単に半成品の、またはボールベアリング保持器１０の、またはスナップ型保持器の中心Ｍに向かってそれぞれ移動させれば得られるはずの筒状形態を有していないため、半成品、またはボールベアリング保持器１０、またはスナップ型保持器２０はそれぞれ、矢Ｄが示すように穿孔中その周方向に前進して、外周ＵＡ上の長さＬＡが内周Ｕｌ上の長さより大きいボールポケット１２、２２の長孔形状が得られる。従って、筒型形状に比べて、ボールポケット１２、２２の上記形状を得るための更なる処理工程を行う必要はない。
【００５１】
ここで、好ましくは、図２１の工程（１）と（２）に示すように、穿孔中、半成品を時計まわりに回転させることによって、まず片側を周方向に加工する。穿孔プロセスの終わりに、図２１の工程（３）に示すように、工具９０を筒状半成品の内周Ｕｌを貫通させる。その後、工具９０を半完成ボールポケット１２、２２から完全に引き抜き、第２の側面を生成するため第２の穿孔プロセスを行う。
【００５２】
図２１の工程（４）と（５）に示すように、半成品は第２の穿孔プロセス中、矢Ｄが示すように反時計まわりに回転する。これにより、第２の側面が第１の側面と対応して周方向に形成される。穿孔プロセスの終わりに、図２１の工程（６）に示すように、工具９０を再び筒状半成品の内周Ｕｌを貫通させる。
【００５３】
ボールポケット１２、２２を半成品の周まわりに形成した後、この半成品をそれに応じて切断してボールベアリング保持器１０またはスナップ型保持器２０をそれぞれ得る。半成品から端部を分離する工程は、分断または切断することによって行われる。更に、ボールベアリング保持器１０またはスナップ型保持器２０は、スライド加工及び／またはバリ取りによって処理されてもよい。この処理工程は端部を半成品から分離する前後に行ってもよい。
【００５４】
上記ボールベアリング保持器１０またはスナップ型保持器２０は、例えば特に約ｎ × ｄｍ ≧ １，０００，０００ｍｍ／ｍｉｎ（ｎは内輪速度に対応し、ｄｍは平均ベアリング直径に対応する）の範囲内の速度特性を有する歯科用技術のような高速用途に使用される。平均ベアリング直径ｄｍは、ボールベアリングの外径及び穴径の平均値として計算される。
【００５５】
上記ボールベアリング保持器１０、またはスナップ型保持器２０は、ポリエーテルエーテルケトン（ＰＥＥＫ）、ポリエーテルケトン（ＰＥＫ）、ポリフェニレンサルファイド（ＰＰＳ）、ポリアミドイミド（ＰＡＩ）、ポリイミド（ＰＩ）等の高性能ポリマーで作られている。また、綿生地強化フェノール樹脂を用いることができる。
【００５６】
ボールポケット１２または２２は長孔形状を有しているため、軸方向の、すなわち周方向に直交する典型的なボールポケット間隙を周方向に大きく増大させながら維持することができる。従って、ボールポケット１２、２２内のボール３０は、ボールベアリング保持器１０、２０に対して更なる力を周方向に作用させることなく、ボール３０の位置を変化させることによって異なるボール速度のバランスをとる機会を有する。
【００５７】
一方、ボールベアリング保持器１０、２０の外周ＤＡ上の長孔形状の長手方向の延長ＬＡが、その内周Ｄｌ上の長孔形状の長手方向の延長Ｌｌより大きい場合、最大数のボールポケット１２、２２がボールベアリング保持器１０、２０内に形成される。
【００５８】
本発明は、ラジアル深溝玉軸受、アンギュラ軸受、深溝玉スラスト軸受、傾斜玉軸受、４点軸受、及び分離可能なボールベアリングを含むボールベアリングの多種多様に適用可能であることを承知しておかなければならない。ここで、ボールベアリングは単列または複列の設計で実現することができる。
【００５９】
外輪７０および内輪５０は、例えば、約１％の炭素含有量および約１．５％のクロム含有量を有する１００Ｃｒ６（材料番号１．３５０５）等のクロム鋼で作られている。
他の鋼として、例えば１００ＣｒＭｎ６と１００ＣｒＭｏ６などがあり、マンガン（Ｍｎ）及びモリブデン（Ｍｏ）等の合金元素がよりよい焼入れ性を提供している。
【００６０】
更に腐食環境下では、Ｘ６５Ｃｒ１３（材料番号：１．４０３７）とＸ１０５ＣｒＭｏ１７（材料番号：１．４１２５）またはＸ３０ＣｒＭｏＮ１５−１（材料番号：１．４１０８）等の高合金鋼が使用されている。後者はヒト組織内で少なくとも数日間使用することができる。特定の動作条件下では、以下に記載のバージョンがある。
・軸受リングまたは軸受レース５０、７０が鋼でできている一方、ボール３０は例えば工作機械のスピンドルに使用されるセラミックでできているハイブリッドベアリング（２つの材料）
・軸受レース５０、７０及びボール３０の両方共セラミックでできているセラミックベアリング
・化学物質と食品産業における侵襲的な酸または塩基に耐えるガラス製のボール３０やセラミックを含むポリマーベアリング
【符号の説明】
【００６１】
１０・・・ボールベアリング保持器
１２・・・ボールポケット
１４・・・周方向の壁
２０・・・スナップ型保持器
２２・・・ボールポケット
２３・・・軸端側
２５・・・反対側の端部側
２６・・・開口部
３０・・・ボール
５０・・・内輪
７０・・・外輪
９０・・・切削、穿孔、またはフライス工具
Ｂ・・・・幅
Ｄ・・・・回転方向
Ｆ・・・・力
ＬＡ・・・外周上の長さ
Ｌｌ・・・内周上の長さ
Ｍ・・・・ボールベアリング保持器の中心
ＰＫ・・・接点
Ｕｌ・・・内周
ＵＡ・・・外周
Ｖ・・・・進行方向
【図１】
2017517682.tif 000003
【図２】
2017517682.tif 000004
【図３】
2017517682.tif 000005
【図４】
2017517682.tif 000006
【図５】
2017517682.tif 000007
【図６】
2017517682.tif 000008
【図７】
2017517682.tif 000009
【図８】
2017517682.tif 000010
【図９】
2017517682.tif 000011
【図１０】
2017517682.tif 000012
【図１１】
2017517682.tif 000013
【図１２】
2017517682.tif 000014
【図１３】
2017517682.tif 000015
【図１４】
2017517682.tif 000016
【図１５】
2017517682.tif 000017
【図１６】
2017517682.tif 000018
【図１７】
2017517682.tif 000019
【図１８】
2017517682.tif 000020
【図１９】
2017517682.tif 000021
【図２０】
2017517682.tif 000022
【図２１】
2017517682.tif 000023
【国際調査報告】
2017517682.tif 000024
2017517682.tif 000025
2017517682.tif 000026
2017517682.tif 000027
2017517682.tif 000028
2017517682.tif 000029